(57)【要約】【課題】光電変換モジュールを備える光サブアセンブリであって、同軸型であっても所望の光結合が得られるものを提供する。【解決手段】光サブアセンブリ１は、光電変換機能を有するＬＤ２１が搭載された光モジュール２０を備える同軸型パッケージを有するものであって、光ファイバ１１ａを保持するスタブ１１などの光ファイバ保持部材に収納するスリーブ１０と、光モジュール２０−光ファイバ１１ａの間に介在する平行平板ガラス４０と、を備える。スリーブ１０の光軸Ａと光モジュール２０の中心軸Ｂは一致しており、平行平板ガラス４０の平行な２つの面の法線は光軸Ｂに対して角度を有している。光モジュール２０と平行平板ガラス４０間の光路ａは、光軸Ｂに対して角度を有し、当該光路ａと平行な光路である平行平板ガラス４０と光ファイバ１１ａ間の光路ｂへ、平行平板ガラス４０により接続される。【選択図】図１
2009025705.tif 000002
【特許請求の範囲】
【請求項１】
光電変換機能を有する光電変換素子が搭載された光モジュールを備える同軸型パッケージを有する光サブアセンブリであって、
光ファイバを保持する光ファイバ保持部材を収納するスリーブと、前記光電変換素子と前記光ファイバとの間に介在する平行平板ガラスと、を備え、
前記スリーブの光軸と前記光モジュールの中心軸は一致しており、前記平行平板ガラスの平行な２つの面の法線は前記光軸に対して角度を有しており、前記光モジュールと前記平行平板ガラス間の光路は、前記光軸に対して角度を有し、当該光路と平行な光路である前記平行平板ガラスと前記光ファイバ間の光路へ、前記平行平板ガラスにより接続されることを特徴とする光サブアセンブリ。
【請求項２】
前記平行平板ガラスは、高屈折率ガラスであることを特徴とする請求項１に記載の光サブアセンブリ。
【請求項３】
前記光電変換素子は、電気信号を光信号に変換して出射する半導体レーザであることを特徴とする請求項１または２に記載の光サブアセンブリ。
【請求項４】
前記光電変換素子は、光信号を受光し対応する電気信号を出力するフォトダイオードであることを特徴とする請求項１または２に記載の光サブアセンブリ。
【請求項５】
前記光ファイバ保持部材は、前記平行平板ガラス側の端面が前記光軸に対して角度を有するスタブであることを特徴とする請求項１〜４のいずれか記載の光サブアセンブリ。
【発明の詳細な説明】
【技術分野】
【０００１】
本発明は、光通信などに用いられる光サブアセンブリに関する。
【背景技術】
【０００２】
光サブアセンブリ（ＯＳＡ：Optical Sub-Assembly）は、光ファイバを有する光コネクタが接続され、また、光電変換機能を有する光電変換素子としてレーザダイオード（ＬＤ：Laser Diode）やフォトダイオード（ＰＤ：Photo Diode）等を有する光電変換モジュール（以下、光モジュールという）を備える。このＯＳＡは、光モジュールを用いて、電気信号を光信号に変換して光ファイバに送信し及び／または光ファイバから光信号を受信し、電気信号に変換する。従来のＯＳＡの一例（例えば、特許文献１）を図４に示す。
【０００３】
図４は、従来のＯＳＡの一例の概略を説明する図であり、図４（Ａ）はＯＳＡの断面図で、図４（Ｂ）はＯＳＡにおける光結合の様子を模式的に示した図である。
ＯＳＡ１００は、光ファイバケーブルの光コネクタ（不図示）が挿入されるスリーブ部１１０と、中央にレンズ１２３ａを有するレンズキャップ１２３によりＬＤ１２１を封止するＣＡＮパッケージ型の光モジュール１２０と、スリーブ部１１０と光モジュール１２０とを接続するジョイントスリーブ（Ｊスリーブ）１３０と、を備える。
【０００４】
スリーブ部１１０は、光コネクタの光ファイバとＬＤ１２１とを高光結合効率で光結合させるためのスタブ１１１を有し、このスタブ１１１は、中心に光ファイバ１１１ａを有する。ＯＳＡ１００は、レンズ１２３ａ及びこのスタブ１１１を介して、例えば、スリーブ部１１０に挿入される光コネクタの光ファイバにＬＤ１２１から光信号を送信する。また、スタブ１１１は、反射光がＬＤ１２１側に戻ることを防ぐために、その端面１１１ｂが６°あるいは８°に斜め研磨されている。
【０００５】
スタブ１１１の光ファイバ１１１ａの中心軸、すなわち光コネクタの光ファイバの中心軸（光ファイバ軸）と、光モジュール１２０のレンズ１２３ａの中心軸（パッケージ中心軸）と、ＬＤ１２１からの出射光の光軸（ＬＤ光軸）と、が同一直線上にあるようにＯＳＡを構成したとする。その場合、スタブ１１１の端面１１１ｂに入射する光信号の光路に対してスタブ１１１の端面１１１ｂが垂直ではないので、入射光量が減少してしまう。
【０００６】
これを防ぐため、ＯＳＡ１００においては、図４（Ａ），（Ｂ）に示すように、ＬＤ１２１をパッケージ中心軸Ａからずらして実装し、所望の光結合が得られるようにしている。すなわち、スタブ１１１の光ファイバ１１１ａに入射した光が光ファイバ軸（スリーブ中心軸）Ｂと一致するように、パッケージ中心軸Ａに対して角度をもった光信号が光モジュール１２０から出射されるようにしている。
【０００７】
また、図４のＯＳＡ１００とは異なり、斜め研磨されたスタブを含まない従来のＯＳＡにおいても、ＯＳＡ１００と同様に、パッケージ中心軸に対して角度をもった光信号が光モジュールから出射されるように、光電変換素子をパッケージ中心軸からずらして実装し、また、スリーブと光モジュールとをずらして固定することがある。光コネクタの光ファイバ端面で反射した戻り光が光電変換素子に入射しないようにするためである。
【０００８】
なお、ＯＳＡにおける光モジュールとスリーブ部の固定方法としては、種々の技術が提案されているが、例えば、特許文献２においては、スリーブ部における光モジュールとの接合面に紫外線・加熱兼用硬化性樹脂を塗布し、光モジュールを接合させた状態で、当該樹脂に紫外線を照射し加熱することで、スリーブ部と光モジュールとを固定するようにしている。
【特許文献１】特開平１０−９６８３９号公報
【特許文献２】特開２００２−９０５８７号公報
【発明の開示】
【発明が解決しようとする課題】
【０００９】
上記のようなＯＳＡは、光リンク等に組み込まれて用いられる。この場合、特許文献１に記載のＯＳＡのように、パッケージ中心軸とスリーブ中心軸とを偏心させている場合、すなわちＯＳＡの中心軸とパケージ中心軸とが一致している同軸型のものではない場合、光リンクの機構設計に関して大幅な制限・制約が生ずる。これに伴い、ＯＳＡの外形も制限され、満足な設計ができない場合がある。
【００１０】
また、特許文献２に記載のように、樹脂等の接着剤でＯＳＡの光モジュールとスリーブ部とを固定する場合、上記のように偏心があると、樹脂の量のバランスが対称ではなくなり、硬化の際などに生じる樹脂の応力により位置ズレが生じ、特性劣化につながってしまう。
【００１１】
本発明は、上述のような実情に鑑みてなされたもので、光モジュールを備える光サブアセンブリであって、同軸型であっても所望の光結合が得られるものを提供することを目的とする。
【課題を解決するための手段】
【００１２】
上記課題を解決するために、本発明の光サブアセンブリは、光電変換機能を有する光電変換素子が搭載された光モジュールを備える同軸型パッケージを有するものであって、光ファイバを保持する光ファイバ保持部材を収納するスリーブと、光電変換素子と光ファイバとの間に介在する平行平板ガラスと、を備え、スリーブの光軸と光モジュールの中心軸は一致しており、平行平板ガラスの平行な２つの面の法線は光軸に対して角度を有しており、光モジュールと平行平板ガラス間の光路は、光軸に対して角度を有し、当該光路と平行な光路である平行平板ガラスと光ファイバ間の光路へ、平行平板ガラスにより接続されることを特徴とする。
【００１３】
また、平行平板ガラスが、高屈折率ガラスであることが好適である。なお、光電変換素子が、電気信号を光信号に変換して出射する半導体レーザや、光信号を受光し対応する電気信号を出力するフォトダイオードであってもよい。また、光ファイバ保持部材は、平行平板ガラス側の端面が光軸に対して角度を有するスタブであってもよい。
【発明の効果】
【００１４】
本発明によれば、光サブアセンブリにおいて、光モジュールと光ファイバとの間に平行平板ガラスを介在させることにより、光モジュールの中心軸とスリーブ中心軸（光軸）とを一致させた同軸型のものであっても、所望の光結合を得ることができる。また、このような構成とすることにより、設計が標準化され光サブアセンブリの光リンクへの組み込みが容易となる。また、光サブアセンブリの光モジュールとスリーブ部とを樹脂で固定させる場合でも、位置ズレによる不良を抑制することができる。
【発明を実施するための最良の形態】
【００１５】
本発明の光サブアセンブリ（ＯＳＡ）は、光ファイバを有する光コネクタが接続され、ＯＳＡの中心軸が光ファイバの端面の光軸と一致しており、同軸型に形成されている。本ＯＳＡは、例えば、レーザダイオード（ＬＤ）を備える送信用光サブアセンブリ（ＴＯＳＡ：Transmitting Optical Sub-Assembly）や、光信号を受光し対応する電気信号を出力するフォトダイオード（ＰＤ）を備える受信用光サブアセンブリ（ＲＯＳＡ：Receiving Optical Sub-Assembly）や、ＬＤとＰＤの両方を備える送受信用光サブアセンブリとして構成されるが、以下では、本発明のＯＳＡについて、ＴＯＳＡとして構成した例で説明する。なお、本明細書では、図におけるＸ方向を上下方向とし、後述のスリーブ部１０の開口１４ｂが形成されている側を上側とする。また、図におけるＹ方向を左右方向として説明する。
【００１６】
（実施例１）
図１は、本発明に係るＴＯＳＡの一例の概略を説明する図で、図１（Ａ）は本ＴＯＳＡの断面図で、図１（Ｂ）は本ＴＯＳＡにおける光結合の様子を模式的に示した図である。
ＴＯＳＡ１は、例えば、図１に示すように、図示しない光ファイバを保持する光ファイバ保持部材である光コネクタのフェルールをガイドし収納するスリーブ部１０と、電気信号を光信号に変換しスリーブ部１０に挿入されるフェルール内の光ファイバへ出射するＬＤ２１を有する光電変換モジュール（光モジュール）２０と、スリーブ部１０と光モジュール２０を連結するジョイントスリーブ（Ｊスリーブ）３０を備える。
スリーブ部１０は、スタブ１１、スリーブ１２、ブッシュ１３及びスリーブシェル１４を有する。
【００１７】
スタブ１１は、光ファイバ１１ａを保持する光ファイバ保持部材であり、光コネクタとＬＤ２１とを高光結合効率で光結合させるためのものであって、例えば、円筒状に形成され、その中心部にシングルモード光ファイバ１１ａが挿入されている。スタブ１１の下側の端面１１ｂは、スタブ１１の光ファイバ軸に対して６°研磨される。また、その上側の端面１１ｃは、スリーブ１２に挿入される光コネクタのフェルールと当接するが、当該フェルールの光ファイバとスタブ１１の光ファイバ同士が空気を介在させずに確実に当接して物理接触（ＰＣ：Physical Contact）を果たすことができるように、スタブ１１の上側の端面１１ｃ並びに光コネクタの光端面は凸面状に加工されている。
【００１８】
このスタブ１１は、その中心軸がＴＯＳＡ１及びスリーブ１２の中心軸と一致し、光モジュール２０側（後述の光路変更部材側）の端面がその中心軸に対して角度を有する導光部材の一例であり、光コネクタの光ファイバと光路変更部材との間に位置する。
【００１９】
スリーブ１２は、光コネクタのフェルールが挿入されたときに、フェルール内の光ファイバと、スタブ１１内の光ファイバ１１ａとが互いに突き合わされるようにするものであって、例えば、ジルコニア製の割スリーブや、金属製の精密スリーブにより構成される。
ブッシュ１３は、スタブ１１とスリーブ１２とを中心部に保持するものであって、スタブ１１においてスリーブ１２から露出している部分を圧入保持しており、また、ブッシュ１３自体はスリーブシェル１４に圧入保持される。
【００２０】
スリーブシェル１４は、光コネクタを受納すると共にスリーブ１２を保護するためのものであって、ブッシュ１３を中心部に嵌合保持するための凹部１４ａを有し、光コネクタのフェルールの挿入を容易にするためにテーパ状に形成された開口１４ｂを有する。
また、スリーブ部１０の外形を規定するスリーブシェル１４は、円筒状の部材を連結したような形状を有しており、この中央にスタブ１１が固定されている。
【００２１】
次に、光モジュール２０について説明する。光モジュール２０は、例えば、ＬＤ２１、ステム２２、レンズキャップ２３を有する。
ステム２２は、レンズキャップ２３と協働して、内部に素子搭載空間を有するＣＡＮパッケージを構成しており、ＬＤ２１を搭載する台座部２２ａと、外部に電気接続するためのリードピン２２ｂと、これらリードピン２２ｂを支持するベース部２２ｃとを有する。
【００２２】
ステム２２の台座部２２ａやベース部２２ｃ上には、ＬＤ２１に加えて、ＬＤ光をモニタするためのＰＤ、抵抗やコンデンサ等の素子が実装される場合もある。これら素子は互いに又はベース部２２ｃもしくはリードピン２２ｂと種々の接続手段により接続される。リードピン２２ｂは、ベース部２２ｃにガラス封止されるなどして支持されており、少なくともその一部がＣＡＮパッケージ外に露出している。
【００２３】
レンズキャップ２３は、ステム２２と協働してＬＤ２１等を気密封止するキャップとして機能するものであり、ＬＤ２１からの光をスタブ１１の光ファイバ１１ａに集光するレンズ２３ａと、レンズ２３ａを保持するレンズホルダ２３ｂを有する。レンズ２３ａは、例えば、屈折率が１．８、直径が０．８ｍｍのボールレンズである。レンズホルダ２３ｂの上面２３ｃは、当該レンズホルダ２３ｂの中心軸に対して垂直であり、その中央に開口２３ｄを有する。この開口２３ｄに、低融点ガラス等の封止ガラスによって、レンズ２３ａが固定される。レンズホルダ２３ｂの下端は、ステム２２のベース部２２ｃに抵抗溶接にて固定される。
【００２４】
ＬＤ２１は、レンズ２３ａを介して外部に光信号を送信するものであり、ステム２２とレンズキャップ２３で形成される空間部分に存在するステム２２の台座部２２ａ上に搭載される。６°研磨されたスタブ１１の光ファイバ１１ａの端面に最適な入射角で光信号を入射させるためには、光モジュール２０からの出射光の光軸が、パッケージ中心軸Ａに対して角度を有するようなものでなければならない。そのため、ＬＤ２１は、例えば、パッケージ中心軸Ａから左右方向にずれた位置に、パッケージ中心軸Ａの軸方向（Ｘ方向）に光信号を出射するように実装される。
【００２５】
続いて、Ｊスリーブ３０について説明する。
金属材料等で形成されるＪスリーブ３０は、上面３０ａが平坦に形成されており、この上面３０ａとスリーブ部１０のブッシュ１３の下端面とを溶接することなどにより、スリーブ部１０がＪスリーブ３０に固定されている。スリーブ部１０を固定する前にブッシュ１３の下端面をＪスリーブ３０ａ上でスライドさせることにより、スリーブ部１０が有するスタブ１１の光ファイバ１１ａ（すなわち光コネクタの光ファイバ）とＬＤ２１との間の、ＴＯＳＡ１の中心軸と垂直な面内での光学的調芯を行うことが可能となっている。さらに、Ｊスリーブ３０の上面３０ａには、ＬＤ２１からの光が通る開口３０ｂが形成されている。
【００２６】
また、Ｊスリーブ３０は、例えば、光モジュール保持部３１と、光路変更部材保持部３２と、を有する。
光モジュール保持部３１は、光モジュール２０を保持固定するものであり、光モジュール２０のレンズホルダ２３ｂの形状に対応して、円筒状に形成されている。光モジュール２０を固定する前に、レンズキャップ２３に対してＪスリーブ３０を軸方向にスライドさせることによって、スタブ１１の光ファイバ１１ａとレンズ２３ａとの距離を調整することができる。
【００２７】
光路変更部材保持部３２は、以下に説明する光路変更部材４０を保持固定するものであり、上面３０ａの中央の開口３０ｂより延在するように形成され、スタブ１１の手前すなわちスタブ１１とレンズ２３ａとの間に光路変更部材４０を保持する。
【００２８】
光路変更部材４０は、光モジュール２０と光ファイバ１１ａとの間の光信号の光路中に介在しており、光モジュール２０と光ファイバ１１ａとの間の光信号の光路を変更するものである。光路変更部材４０は、例えば、高屈折率（例えば、屈折率２．０）の平行平板ガラスが、その平行な２つの面の法線がＴＯＳＡ１の中心軸に対して角度（例えば、４５度）を有するように、光路変更部材保持部３２に取付け配置されて構成される。
この光路変更部材４０により、図１（Ｂ）に示すように、光モジュール２０の中心軸Ａ及びスリーブ１２の光軸（中心軸Ｂ）に対して角度を有する光モジュール２０−光路変換部材（平行平板ガラス）４０間の光路ａが、光路ａに平行な光路であり光路変換部材４０−光ファイバ１１ａ間の光路である光路ｂへ接続されている。
【００２９】
レンズ２３ａから出射した光信号は、上述のようにパッケージ中心軸に対して傾けられており（例えば、２．８°）、光路変更部材４０が無ければ、そのままスタブ１１の光ファイバ１１ａではない部分に結合するため、スタブ１１の光ファイバ１１ａに光結合させるには、パッケージ中心軸Ａとスリーブ中心軸Ｂとを約０．１ｍｍずらす必要がある（図４（Ｂ）参照）。
【００３０】
しかし、ＴＯＳＡ１においては、スタブ１１と光モジュール２０（レンズ２３ａ）との間に上述のように光路変更部材４０を介在させており、平行平板ガラスより成る光路変更部材４０を光が通るときに、スネルの法則にしたがって光が屈折する。そのため、パッケージ中心軸Ａとスリーブ中心軸Ｂとをずらさなくても、すなわちＴＯＳＡ１の中心軸とパッケージ中心軸とが一致していても、レンズ２３ａからパッケージ中心軸に対して角度をつけて出射された光信号をスタブ１１の光ファイバ１１ａに結合させることができる。
このようにＴＯＳＡ１においては、光路変更部材４０により、ＴＯＳＡ１の中心軸に対して傾斜した光路からの光信号が、導光部材であるスタブ１１を介して、光コネクタの光ファイバに入射する。
【００３１】
（実施例２）
図２は、本発明に係るＴＯＳＡの他の例の概略を説明する図である。本例において、実施例１のものと同様の構成部分については、同じ符号を用いることにより、説明を省略する。
ＴＯＳＡ２は、例えば、図２に示すように、図示しない光ファイバを保持する光ファイバ保持部材である光コネクタのフェルールをガイドし収納するスリーブ部１０’と、ＬＤ２１を有する光モジュール２０’と、Ｊスリーブ３０’を備える。ＴＯＳＡ２では、ＴＯＳＡ１とは異なり、スタブを用いていない。
【００３２】
スリーブ部１０’は、光コネクタのフェルールを受納すると共に当該フェルールをガイドするフェルール受納部１５と、Ｊスリーブ３０’の後述の光路変更部材保持部３２’を受納するＪスリーブ受納部１６と、を有する。フェルール受納部１５の中心には、光ファイバを中心に有する上記フェルールが挿入されるようになっている（すなわち、フェルール受納部１５によりスリーブ部１０’の中心軸が上記光ファイバの光軸と一致するようになっている。）また、Ｊスリーブ受納部１６は、固定時に光路変更部材保持部３２’が位置する凹所１６ａを有し、下端がＪスリーブ３０’の上面３０ａ’に溶接固定されるようになっている。
【００３３】
光モジュール２０’は、電気信号を光信号に変換しスリーブ部１０’に挿入されるフェルール内の図示しない光ファイバへ送信するものであって、レンズ２３ａ’を有するレンズキャップ２３’及びステム２２から構成されるＣＡＮパッケージを用いる。また、光モジュール２０’のレンズ２３ａ’は、例えば、屈折率が１．５、直径が１．５ｍｍのボールレンズである。
【００３４】
また、実施例１におけるＴＯＳＡ１では、スタブ研磨角に最適入射をさせるため、光モジュール２０’からの出射光の光軸がパッケージ中心軸に対して角度を有するようにしていた。スタブのないＴＯＳＡ２の場合、ファイバフェルールに直接光を結合させるので、ファイバフェルール端面からの反射光をＬＤ２１に結合させないため、ＴＯＳＡ１と同様に光モジュール２０’からの出射光の光軸がパッケージ中心軸に対して角度を有するようにする。ファイバフェルール端面からの反射を抑制するためである。
光モジュールからの出射光がパッケージ中心軸に対して傾くように、光モジュール２０’のＬＤ２１は、例えば、光モジュール２０の場合と同様に、パッケージ中心軸から左右方向にずれた位置に実装される。
【００３５】
Ｊスリーブ３０’は、Ｊスリーブ３０と同様の構成であるが、上面３０ａ’の中央の開口３０ｂ’から延在する光路変更部材保持部３２’が、上方に突出するように形成されている。
光モジュール２０’のレンズ２３ａ’から出射した光は、上述のように、パッケージ中心軸に対して傾けられており（本実施例では、例えば、３．０°）、この状態であっても、パッケージ中心軸とスリーブ中心軸とを一致させることができるように、光路変更部材保持部３２’に光路変更部材４０’が取付けられている。
【００３６】
本実施例のＴＯＳＡ２に用いられる光路変更部材４０’は、光モジュール２０’と光コネクタの光ファイバとの間の光信号の光路中に介在しており、光モジュール２０’と当該光ファイバとの間の光信号の光路を変更するものである。また、光路変更部材４０’は、例えば、高屈折率（例えば、屈折率２．０）で厚さが０．３ｍｍの平行平板ガラスが、その平行な２つの面の法線が、ＴＯＳＡ２の中心軸（すなわちスリーブ部１０’及び光コネクタの光ファイバの光軸）に対して角度（例えば、４５度）を有するように、光路変更部材保持部３２’に取付け配置されて構成される。
【００３７】
この光路変更部材４０’により、スリーブ部１０’の光軸（中心軸）に対して角度を有する光モジュール２０’−光路変換部材（平行平板ガラス）４０’間の光路が、当該光路に平行な光路であり光路変換部材４０’と光コネクタのフェルールの光ファイバとの間の光路である光路へ、接続されている。
【００３８】
レンズ２３ａ’から出射した光は、上述のようにパッケージ中心軸に対して例えば３．０°傾けられており、光路変更部材４０’が無ければ、光コネクタのフェルールの光ファイバではない部分に結合するため、当該光ファイバに光結合させるにはパッケージ中心軸とスリーブ中心軸とをずらす必要がある。しかし、ＴＯＳＡ２においては、フェルールと光モジュール２０’のレンズ２３ａ’との間に上述のように平行平板ガラス４０’を介在させており、平行平板ガラス４０’を光が通るときに、スネルの法則にしたがって光が屈折する。そのため、パッケージ中心軸とスリーブ中心軸とをずらさなくてもレンズ２３ａ’から出射した光をフェルールの光ファイバに結合させることができる。
このようにＴＯＳＡ２においては、光路変更部材４０’により、ＴＯＳＡ２の中心軸に対して傾斜した光路からの光信号が光コネクタの光ファイバに入射する。
【００３９】
（実施例３）
図３は、本発明に係るＴＯＳＡの他の例の概略を説明する図である。本例において、実施例１及び／または実施例２のものと同様の構成部分については、同じ符号を用いることにより、説明を省略する。
ＴＯＳＡ３は、図３に示すように、スリーブ部５１、光路変更部材保持部５２及び光モジュール保持部５３を有する複合部材５０と、ＬＤを有する光モジュール２０”とを備える。図３においては、ＬＤの図示は省略されている。
【００４０】
複合部材５０のスリーブ部５１は、図示しない光ファイバを保持する光ファイバ保持部材である光コネクタのフェルールをガイドすると共に当該フェルールを収納する。また、スリーブ部５１の前方にはフェルールの挿入を容易にするためにテーパ状に形成された開口５１ａを有し、スリーブ部５１の下端には光路変更部材保持部５２へと連続する開口５１ｂが形成されている。なお、実施例２と同様に、スリーブ部５１の中心軸と光コネクタのフェルールの光ファイバの光軸とは一致するようになっている。
【００４１】
光路変更部材保持部５２は、光路変更部材４０’を保持固定するもので複合部材５０の中心部に形成される。また、この光路変更部材保持部５２には、実施例１，２のＴＯＳＡ１，２のものと同様に、例えば高屈折率（例えば、屈折率２．０）の平行平板ガラスからなる光路変更部材４０’が、その平行な２つの面の法線がＴＯＳＡ３の中心軸に対して角度（例えば、４５度）を有するように、取付け配置されている。
ＴＯＳＡ３においても、実施例２と同様に、光モジュール２０”−光路変換部材（平行平板ガラス）４０’間の光路は、後述のように、スリーブ部５１の光軸（中心軸）に対して角度を有するが、当該光路は、光路変更部材４０’により、当該光路に平行な光路であり光路変換部材４０’と光コネクタのフェルールの光ファイバとの間の光路である光路へ、接続されている。
【００４２】
また、光モジュール保持部５３は、固定時に光モジュール２０”の一部が位置する凹所５３ａを有し、光モジュール２０”のレンズホルダと樹脂材料で接着固定されている。
光モジュール２０”は、電気信号を光信号に変換しスリーブ部５１に挿入されるフェルール内の図示しない光ファイバへ送信するものであって、レンズキャップ２３’及びステム２２から構成されるＣＡＮパッケージを用いる。
【００４３】
また、ＴＯＳＡ３では、実施例２におけるＴＯＳＡ２と同様に、ファイバフェルール端面からの反射を抑制するため、光モジュール２０”からの出射光の光軸がパッケージ中心軸に対して角度を有するようにする。光モジュール２０”からの出射光がパッケージ中心軸に対して傾くように、光モジュール２０”のＬＤは、例えば、パッケージ中心軸から左右方向にずれた位置に実装されている。
【００４４】
レンズ２３ａ’から出射した光は、このようにパッケージ中心軸に対して傾けられており、光路変更部材４０’が無ければ、光コネクタのフェルールの光ファイバではない部分に結合するため、当該光ファイバに光結合させるにはパッケージ中心軸とスリーブ中心軸とをずらす必要がある。しかし、ＴＯＳＡ３においては、フェルールと光モジュール２０’のレンズ２３ａ’との間に上述のように光路変更部材４０’を介在させており、ガラスより成る光路変更部材４０’を光が通るときに、スネルの法則にしたがって光が屈折するため、パッケージ中心軸と複合部材の中心軸とをずらさなくてもレンズ２３ａ’から出射した光をフェルールの光ファイバに結合させることができる。
【００４５】
このようなＴＯＳＡにおいて、複合部材と光モジュールとは、調芯を行い、最適位置で接着剤により固定されている。また、パッケージ中心軸と複合部材の中心軸と軸を一致させることにより、レンズホルダと複合部材の光モジュール保持部との間の隙間が同軸円周上で均一になり、この隙間に充填される樹脂の厚さ（量）も均一となる。樹脂が固化する際の応力も円周上で均等に作用することになって軸ズレを防ぐこともできる。このように、本実施例のＴＯＳＡにおいては、樹脂量のバラツキを抑えることができ、応力による位置ズレを防止することができる。
【００４６】
以上説明したように、スネルの法則を前提に、光路変更部材を構成するガラス体の屈折率、厚み、取付け角度を調整すれば、光モジュールからの出射光の光軸の傾きと光学長に合わせてスリーブ部の中心軸と光モジュールの中心軸を一致させることができる。
以上の実施例では、レセプタクルタイプのＯＳＡのみ示しているが、ピグテイルタイプのものに関しても本発明を適用することができる。
【図面の簡単な説明】
【００４７】
【図１】本発明に係るＴＯＳＡの一例の概略を説明する図である。
【図２】本発明に係るＴＯＳＡの他の例の概略を説明する図である。
【図３】本発明に係るＴＯＳＡの他の例の概略を説明する図である。
【図４】従来のＯＳＡの一例の概略を説明する図である。
【符号の説明】
【００４８】
１，２，３…ＴＯＳＡ、１０、１０’…スリーブ部、１１…スタブ、１１ａ…光ファイバ、１１ｂ…下側端面、１１ｃ…上側端面、１２…スリーブ、１３…ブッシュ、１４…スリーブシェル、１４ａ…凹部、１４ｂ…開口、１５…フェルール受納部、１６…Ｊスリーブ受納部、１６ａ…凹所、２０，２０’，２０”…光電変換モジュール（光モジュール）、２１…ＬＤ、２２…ステム、２２ａ…台座部、２２ｂ…リードピン、２２ｃ…ベース部、２３，２３’…レンズキャップ、２３ａ，２３ａ’…レンズ、２３ｂ…レンズホルダ、２３ｃ…上面、２３ｄ…開口、３０…Ｊスリーブ、３０ａ，３０ａ’…上面、３０ｂ，３０ｂ’…開口、３１…光モジュール保持部、３２，３２’…光路変更部材保持部、４０，４０’…光路変更部材（平行平板）、５０…複合部材、５１…スリーブ部、５１ａ…開口、５１ｂ…開口、５２…光路変更部材保持部、５３…光モジュール保持部、５３ａ…凹所。
【図１】
2009025705.tif 000003
【図２】
2009025705.tif 000004
【図３】
2009025705.tif 000005
【図４】
2009025705.tif 000006